(57)【要約】【課題】第１の電子機器から第２の電子機器側へ画像を送信して記録している最中に不意に第２の電子機器が取外されても安全にシャットダウン操作が行なわれるような端子配列を備えた電子機器システムおよび電子機器を提供する。【解決手段】カメラボディ２０１にレンズユニット１０１を回動操作にて装着するカメラ１００において、レンズユニット１０１をカメラボディ２０１から取外すとき、他の端子が接続している間に他の端子より先に接続が切れるように他の端子とは配列ピッチを変えた端子２２１ｂをカメラボディ側に備え、この端子２２１ｂの接続が切れたことを検知して他の端子をハイインピーダンスにする。【選択図】        図８
2007101656.tif 000002
【特許請求の範囲】
【請求項１】
複数の端子が一方向に配列された第１の端子群を備えた第1の電子機器と、
前記第１の端子群の配列に対応して一方向に配列された第２の端子群を備え、前記第１の電子機器が回動操作により装着される第２の電子機器とからなり、
前記第１の電子機器と前記第２の電子機器との装着操作に応じ、前記端子の配列方向に従って、前記第２の端子群の一端側から前記第１の端子群が摺接しながら移動し、前記第１の電子機器と前記第２の電子機器との装着状態において前記第１、第２の端子群の各端子が一対一に接続される電子機器システムにおいて、
前記第１および第２の端子群には、第１の端子対が設けられていると共に、前記第１の電子機器と前記第２の電子機器との装着操作を行った際に前記第１の端子対より後に接続され、前記第１の電子機器と前記第２の電子機器との取外し操作を行った際に前記第１の端子対より先に接続が切れる少なくとも１つの第２の端子対が設けられていることを特徴とする電子機器システム。
【請求項２】
前記第２の端子対は、前記第１または第２の端子群に含まれる少なくとも１つの端子の配列ピッチを変えることにより構成されていることを特徴とする請求項１記載の電子機器システム。
【請求項３】
前記第２の端子対は、前記第１または第２の端子群に含まれる少なくとも１つの端子の幅を変えることにより構成されていることを特徴とする請求項１記載の電子機器システム。
【請求項４】
前記第２の端子対を、前記第１および第２の端子群の最端に配置することを特徴とする請求項１ないし３いずれか記載の電子機器システム。
【請求項５】
前記第２の端子対の接続が切れた後で、かつ、前記第１の端子対が接続されている間に、前記第１の端子対をハイインピーダンスにすることを特徴とする請求項１ないし４いずれか記載の電子機器システム。
【請求項６】
前記第１および第２の端子群には、前記第１の電子機器と前記第２の電子機器との装着操作を行った際に前記第１および第２の端子対より先に接続され、前記第１の電子機器と前記第２の電子機器との取外し操作を行った際に前記第１および第２の端子対より後に接続が切れる少なくとも１つの第３の端子対が設けられていることを特徴とする請求項１ないし５いずれか記載の電子機器システム。
【請求項７】
前記第３の端子対は、前記第１または第２の端子群に含まれる少なくとも１つの端子の配列ピッチを変えることにより構成されていることを特徴とする請求項６記載の電子機器システム。
【請求項８】
前記第３の端子対は、前記第１または第２の端子群に含まれる少なくとも１つの端子の幅を変えることにより構成されていることを特徴とする請求項６記載の電子機器システム。
【請求項９】
前記第１および第２の端子群は、それぞれ複数の端子グループからなり、
前記第２、第３の端子対を、異なる端子グループの最端にそれぞれ配置することを特徴とする請求項６ないし８いずれか記載の電子機器システム。
【請求項１０】
前記第３の端子対は、グランド用端子対または電源供給用端子対であることを特徴とする請求項６ないし８いずれか記載の電子機器システム。
【請求項１１】
前記第１の電子機器は、撮影レンズと撮像素子を備え映像情報を生成するレンズユニットであることを特徴とする請求項１ないし１０いずれか記載の電子機器システム。
【請求項１２】
前記第２の電子機器は、前記第１の電子機器から受け取った情報を記録する記録手段と、情報を表示する表示手段を備えた記録表示装置であることを特徴とする請求項１ないし１０いずれか記載の電子機器システム。
【請求項１３】
複数の端子が一方向に配列された第１の端子群を備えたアクセサリとの回動による装着操作に応じ、前記第１の端子群の配列方向に従って、前記第１の端子群の一端側から摺接しながら移動し、前記アクセサリとの装着状態において前記第１の端子群の端子と一対一に接続される第２の端子群を備えた電子機器において、
前記第２の端子群には、第１の端子が設けられていると共に、前記アクセサリと前記電子機器との装着操作を行った際に前記第１の端子より後に前記第１の端子群の端子と接続され、前記アクセサリと前記電子機器との取外し操作を行った際に前記第１の端子より先に接続が切れる少なくとも１つの第２の端子が設けられていることを特徴とする電子機器。
【請求項１４】
前記第２の端子は、配列ピッチを変えることにより構成されていることを特徴とする請求項１３記載の電子機器。
【請求項１５】
前記第２の端子は、端子の幅を変えることにより構成されていることを特徴とする請求項１３記載の電子機器。
【請求項１６】
前記第２の端子を、前記第２の端子群の最端に配置することを特徴とする請求項１３ないし１５いずれか記載の電子機器。
【請求項１７】
前記第２の端子の接続が切れた後で、かつ、前記第１の端子が接続されている間に、前記第１の端子をハイインピーダンスにすることを特徴とする請求項１３ないし１６いずれか記載の電子機器。
【請求項１８】
前記第２の端子群には、前記アクセサリと前記電子機器との装着操作を行った際に前記第１および第２の端子より先に前記第１の端子群の端子と接続され、前記アクセサリと前記電子機器との取外し操作を行った際に前記第１および第２の端子より後に接続が切れる少なくとも１つの第３の端子が設けられていることを特徴とする請求項１３ないし１７いずれか記載の電子機器。
【請求項１９】
前記第３の端子は、配列ピッチを変えることにより構成されていることを特徴とする請求項１８記載の電子機器。
【請求項２０】
前記第３の端子は、端子の幅を変えることにより構成されていることを特徴とする請求項１８記載の電子機器。
【請求項２１】
前記第２の端子群は複数の端子グループからなり、
前記第２および第３の端子を、異なる端子グループの最端にそれぞれ配置することを特徴とする請求項１８ないし２０いずれか記載の電子機器。
【請求項２２】
前記第３の端子は、グランド用端子対または電源供給用端子対であることを特徴とする請求項１８ないし２０いずれか記載の電子機器。
【請求項２３】
前記電子機器は、撮影レンズと撮像素子を備え映像情報を生成するレンズユニットであることを特徴とする請求項１３ないし２２いずれか記載の電子機器。
【請求項２４】
前記電子機器は、前記アクセサリから受け取った情報を記録する記録手段と、情報を表示する表示手段を備えた記録表示装置であることを特徴とする請求項１３ないし２２いずれか記載の電子機器。
【発明の詳細な説明】
【技術分野】
【０００１】
本発明は、レンズ交換式カメラにおけるレンズユニットとカメラボディ等の電子機器同士の取外し操作を安全に行える電子機器システムおよび電子機器に関するものである。
【背景技術】
【０００２】
従来、一般に、レンズ交換式カメラはレンズユニットとカメラボディとを結合するときにレンズユニットとカメラボディ間の通信及び電源供給のために、光学的な結合と同時に電気的な結合を行う必要があり、マウント部に端子が設けられる。レンズユニットやカメラボディに占められるこのマウント部の大きさにはある程度の限度があるため、このマウント部に端子を配置するにあたって発生する様々な問題に対して、これを解決する端子の配置に関する発明が多くなされてきた。
【０００３】
例えば、複数のカメラボディ側端子が光軸回り方向にほぼ沿って配設され、少なくとも２つの電源供給用端子を、接触方向の段差を形成して接触方向に高さの差を設け、カメラボディ側端子の接触方向直交位置に、この接続端子より接触方向に突出した突出部を形成し、又、両マウントの結合、離脱の際での前記突出部と対応する位置に切欠きを形成した技術がある（例えば、特許文献１参照。）。
【０００４】
この技術は、カメラボディ側マウント部の電源供給用端子の配置位置に段差を設け、レンズユニットの着脱操作時に電源供給用端子が他の端子と接触して電気的にショートしないようにしたものである。この技術は端子の高さに差を設けるものなので、平らな形状以外のものでは対応できない。
【０００５】
また、レンズユニット側マウント部の各端子がそれぞれカメラボディ側の各端子に接続するように各端子を付勢する付勢部材を有するとともに、レンズ光軸に垂直な平面内の同一円周上に配置され、且つ回転操作時に複数の端子が摺動する如く配置され、電源供給用端子の間隔は他の端子と相違する間隔に設定した交換レンズがある（例えば、特許文献２参照。）。
【０００６】
この技術は、レンズユニット着脱時に信号ラインに電源・グランドが接触しないように端子の配置距離を相違させて電気的な短絡を防ぐものである。
【０００７】
一方で、撮影光学系と撮像素子を備えたレンズユニットと、レンズユニットが着脱自在に装着されレンズユニットから画像信号を受け取って信号処理を行なうカメラボディとを備えたカメラが知られている（例えば特許文献３参照）。
【特許文献１】特開平２−１６３７２８号公報（第２−６頁、図１）
【特許文献２】特開昭５８−８３８２４号公報（第１−３頁、図１）
【特許文献３】特開２０００−１７５０８９号公報
【発明の開示】
【発明が解決しようとする課題】
【０００８】
特許文献３で開示されているように、撮影光学系と撮像素子を備えたレンズユニットと、レンズユニットが着脱自在に装着されレンズユニットから画像信号を受け取って信号処理を行なうカメラボディとを備えたカメラでは、撮影した映像を記録している最中にレンズユニットがカメラボディから外されてしまう、あるいは外れてしまうと保護機能が働かずに記録中の映像情報ばかりでなく記録メディア内の映像情報がすべて破壊されてしまう恐れがある。これは、記録中にレンズユニットがカメラボディから外れて、あるいは故意に外されてしまうと、カメラヘッドとカメラボディとの双方にそれぞれ設けられている端子の接続が急に断たれてしまうため、その端子側から瞬時尖頭値の大きいサージ電圧が双方の内部回路に向けて印加されることによる。しかしながら、先ほどの特許文献１、特許文献２、特許文献３の何れにおいても、かかる問題に関しては何ら記載されていない。
【０００９】
本発明は、上記事情に鑑み、カメラボディ（第２の電子機器）側で記録が行なわれている最中にレンズユニット（第１の電子機器）がカメラボディ（第２の電子機器）から外されそうになっても、取外しを検出して安全にシャットダウン操作が行えるような端子配置を備えたレンズ交換式カメラをはじめ、レンズ交換式カメラと同様な接続形態を持つ電子機器システムおよびその電子機器を提供することを目的とする。
【課題を解決するための手段】
【００１０】
上記目的を達成するために、請求項１記載の電子機器システムでは、複数の端子が一方向に配列された第１の端子群を備えた第1の電子機器と、前記第１の端子群の配列に対応して一方向に配列された第２の端子群を備え、前記第１の電子機器が回動操作により装着される第２の電子機器とからなり、前記第１の電子機器と前記第２の電子機器との装着操作に応じ、前記端子の配列方向に従って、前記第２の端子群の一端側から前記第１の端子群が摺接しながら移動し、前記第１の電子機器と前記第２の電子機器との装着状態において前記第１、第２の端子群の各端子が一対一に接続される電子機器システムにおいて、前記第１および第２の端子群には、第１の端子対が設けられていると共に、前記第１の電子機器と前記第２の電子機器との装着操作を行った際に前記第１の端子対より後に接続され、前記第１の電子機器と前記第２の電子機器との取外し操作を行った際に前記第１の端子対より先に接続が切れる少なくとも１つの第２の端子対を設けたものである。
【００１１】
請求項２記載の電子機器システムは、前記第２の端子対を前記第１または第２の端子群に含まれる少なくとも１つの端子の配列ピッチを変えることにより構成したものである。
【００１２】
請求項３記載の電子機器システムは、前記第２の端子対を前記第１または第２の端子群に含まれる少なくとも１つの端子の幅を変えることにより構成したものである。
【００１３】
請求項４記載の電子機器システムは、前記第２の端子対を前記第１および第２の端子群の最端に配置したものである。
【００１４】
請求項５記載の電子機器システムは、前記第２の端子対の接続が切れた後で、かつ、前記第１の端子対が接続されている間に、前記第１の端子対をハイインピーダンスにするものである。
【００１５】
請求項６記載の電子機器システムは、前記第１および第２の端子群に、前記第１の電子機器と前記第２の電子機器との装着操作を行った際に前記第１および第２の端子対より先に接続され、前記第１の電子機器と前記第２の電子機器との取外し操作を行った際に前記第１および第２の端子対より後に接続が切れる少なくとも１つの第３の端子対を設けたものである。
【００１６】
請求項７記載の電子機器システムは、前記第３の端子対を前記第１または第２の端子群に含まれる少なくとも１つの端子の配列ピッチを変えることにより構成したものである。
【００１７】
請求項８記載の電子機器システムは、前記第３の端子対を前記第１または第２の端子群に含まれる少なくとも１つの端子の幅を変えることにより構成したものである。
【００１８】
請求項９記載の電子機器システムは、前記第１および第２の端子群がそれぞれ複数の端子グループからなり、前記第２、第３の端子対を、異なる端子グループの最端にそれぞれ配置したものである。
【００１９】
請求項１０記載の電子機器システムは、前記第３の端子対をグランド用端子対または電源供給用端子対としたものである。
【００２０】
請求項１１記載の電子機器システムは、前記第１の電子機器を撮影レンズと撮像素子を備え映像情報を生成するレンズユニットとしたものである。
【００２１】
請求項１２記載の電子機器システムは、前記第２の電子機器を前記第１の電子機器から受け取った情報を記録する記録手段と情報を表示する表示手段を備えた記録表示装置としたものである。
【００２２】
請求項１３記載の電子機器は、複数の端子が一方向に配列された第１の端子群を備えたアクセサリとの回動による装着操作に応じ、前記第１の端子群の配列方向に従って、前記第１の端子群の一端側から摺接しながら移動し、前記アクセサリとの装着状態において前記第１の端子群の端子と一対一に接続される第２の端子群を備えた電子機器において、前記第２の端子群には、第１の端子が設けられていると共に、前記アクセサリと前記電子機器との装着操作を行った際に前記第１の端子より後に前記第１の端子群の端子と接続され、前記アクセサリと前記電子機器との取外し操作を行った際に前記第１の端子より先に接続が切れる少なくとも１つの第２の端子を設けたものである。
【００２３】
請求項１４記載の電子機器は、前記第２の端子を、配列ピッチを変えることにより構成したものである。
【００２４】
請求項１５記載の電子機器は、前記第２の端子を端子の幅を変えることにより構成したものである。
【００２５】
請求項１６記載の電子機器は、前記第２の端子を前記第２の端子群の最端に配置したものである。
【００２６】
請求項１７記載の電子機器は、前記第２の端子の接続が切れた後で、かつ、前記第１の端子が接続されている間に、前記第１の端子をハイインピーダンスにするものである。
【００２７】
請求項１８記載の電子機器は、前記第２の端子群に、前記アクセサリと前記電子機器との装着操作を行った際に前記第１および第２の端子より先に前記第１の端子群の端子と接続され、前記アクセサリと前記電子機器との取外し操作を行った際に前記第１および第２の端子より後に接続が切れる少なくとも１つの第３の端子を設けたものである。
【００２８】
請求項１９記載の電子機器は、前記第３の端子を、配列ピッチを変えることにより構成したものである。
【００２９】
請求項２０記載の電子機器は、前記第３の端子を端子の幅を変えることにより構成したものである。
【００３０】
請求項２１記載の電子機器は、前記第２の端子群が複数の端子グループからなり、前記第２および第３の端子を、異なる端子グループの最端にそれぞれ配置したものである。
【００３１】
請求項２２記載の電子機器は、前記第３の端子をグランド用端子対または電源供給用端子対としたものである。
【００３２】
請求項２３記載の電子機器は、前記電子機器を撮影レンズと撮像素子を備え映像情報を生成するレンズユニットとしたものである。
【００３３】
請求項２４記載の電子機器は、前記電子機器を前記アクセサリから受け取った情報を記録する記録手段と、情報を表示する表示手段を備えた記録表示装置としたものである。
【発明の効果】
【００３４】
本発明によれば、カメラボディ（第２の電子機器）側で記録が行なわれている最中にレンズユニット（第１の電子機器）がカメラボディ（第２の電子機器）から取外されたとしても、記録中の映像情報を含む記録メディア内の映像情報すべてが破壊されることのない端子配置の電子機器システムが実現される。
【発明を実施するための最良の形態】
【００３５】
図１から図４は、本発明の一実施形態であるカメラ１００の外観を示す図である。
【００３６】
図１に示すカメラ１００は、撮影光学系１１１を備えたレンズユニット１０１と、そのレンズユニット１０１が着脱自在に装着されレンズユニット１０１から映像情報を受信するカメラボディ２０１とからなるデジタルカメラである。
【００３７】
図２には、レンズユニット１０１がカメラボディ２０１に装着される直前の状態が示されている。
【００３８】
図３は、カメラボディ２０１内部からカメラボディ２０１前面に向けてバネ等で付勢されたマウントバリア２１１をカメラボディ２０１内部へ押し込んだ状態のボディ側マウント部２１０周辺を示している。
【００３９】
図２に示すように、カメラボディ２０１の前面中央には、マウントバリア２１１と３つのボディ側マウント爪部２１２a、２１２ｂ、２１２ｃを含むボディ側マウント部２１０がある。また、レンズユニット１０１の光軸後方側には、マウントバリア２１１と同形状のレンズ側マウント部１１０を備え、レンズユニット内部には撮像素子（ここではＣＣＤ固体撮像素子が用いられているので以下ＣＣＤという）１１２を備えている。レンズ側マウント部１１０は、３つのマウント爪部１２０ａ、１２０ｂ、１２０ｃ（図示せず）を備えている。
【００４０】
マウントバリア２１１はカメラボディ２０１内部からカメラボディ２０１前面に向けてバネ等で付勢されており、レンズユニット１０１をそのボディ側マウント部２１０に差し込むと、レンズ側マウント部１１０に押されてマウントバリア２１１がカメラボディ２０１内側に押し込まれる。図３に示すように、ボディ側マウント爪部２１２ａ、２１２ｂ、２１２ｃの光軸後方には光軸前方へ向けて多数の端子が配置されたマウント爪受け部２２０ａ、２２０ｂ、２２０ｃがある（図６を用いて後述）。レンズユニット１０１でマウントバリア２１１を押し込んだ後にレンズユニット１０１を回動させると、マウント爪部１２０ａ、１２０ｂ、１２０ｃとマウント爪受け部２２０ａ、２２０ｂ、２２０ｃとに配置された複数の端子が互いに摺接しながら移動し、複数の端子がそれぞれ一対一に接続され、レンズユニット１０１とカメラボディ２０１とは物理的にしっかりと締結されると同時に電気的にも接続されることとなる。
【００４１】
レンズユニット１０１とカメラボディ２０１との着脱操作は、光軸周り円周方向で１ヶ所からのみ着脱が可能となっている。これは、３つあるマウント爪部１２０ａ、１２０ｂ、１２０ｃがそれぞれ同じ形状ではなく、例えば少なくとも１つのマウント爪部を他のマウント爪部より大きくするか、マウント爪部１２０ａ、１２０ｂ、１２０ｃの形状が等しくても円周上の配置位置を不等間隔とし、対応するマウントバリア２１１をそのマウント爪部１２０ａ、１２０ｂ、１２０ｃの形状・配置に合せて形成することで実現出来る。
【００４２】
また、マウント爪部１２０ａ、１２０ｂ、１２０ｃのうち少なくとも１つには回転規制部１１３を設けている。例えば、図２のようにマウント爪部１２０ａに回転規制部１１３を設ければ、レンズユニット１０１とカメラボディ２０１との装着操作の回動方向はこの回転規制部１１３とボディ側マウント爪部２１２ｂの関係により１方向に決定されると共に、レンズユニット１０１をある角度だけ回動させると回転規制部１１３がボディ側マウント爪部２１２aに衝突する為、マウント爪部１２０ａ、１２０ｂ、１２０ｃとマウント爪受け部２２０ａ、２２０ｂ、２２０ｃとは必ず正しい組み合わせで係合されることとなる。
【００４３】
このカメラ１００は、カメラボディ２０１側にバッテリ（図示せず）が配備され、そのバッテリからカメラボディ２０１に電力が供給されると共に、レンズユニット１０１とカメラボディ２０１との双方が備える多数の端子の中にある電源供給用端子を通じてレンズユニット１０１にも電力が供給される構成になっている。その電源供給用端子を通じてカメラボディ２０１内のバッテリの電力がレンズユニット１０１に供給されると、レンズユニット１０１とカメラボディ２０１との双方が共に動作状態になる。
【００４４】
なお、バッテリはレンズユニット１０１内に配備されていて、レンズユニット１０１とカメラボディ２０１との双方が備える多数の端子の中にある電源供給用端子を通じてレンズユニット１０１からカメラボディ２０１に電力を供給する構成でも良い。また、レンズユニット１０１とカメラボディ２０１双方にバッテリが配備されていて、一方のバッテリ残量がある閾値を下回るまたはゼロになった場合に、他方のバッテリから電源供給用端子を通じて電力を供給する構成でも良い。
【００４５】
また、図１および図２に示すように、カメラボディ２０１のボディ上面にはレリーズ釦２１３とモードダイヤル２１４が配備されており、このモードダイヤル２１４により撮影モードが選択されレリーズ釦２１３が押下されると撮影が行われてレンズユニット１０１からの映像情報がカメラボディ２０１に供給される。そのモードダイヤル２１４の中には撮影モード以外に再生モードや電源スイッチなどの項目もあり、回転操作によりそれらの項目の中の１つが選択される。またカメラボディ２０１の前面にはＡＷＢセンサ２１５や閃光発光窓２１６などが設けられている。
【００４６】
図４に示すように、カメラボディ２０１の背面にはＬＣＤ２１７とファインダ２１８と上下左右選択釦２１９などが配備されている。ＬＣＤ２１７には、例えば撮影モードではスルー画が表示され、再生モードでは撮影した静止画や動画が表示される。上下左右選択釦２１９は、様々なモードでその役割が変化し、例えば撮影モードではズーム機能の広角と望遠の選択釦であったり、再生モードではＬＣＤ２１７に表示したサムネイルの選択釦であったりする。
【００４７】
次に、図５、図６の平面図を使用して、本発明の第１実施形態における端子の配列構成を説明する。
【００４８】
図５はレンズ側マウント部１１０の平面図である。レンズ側マウント部１１０は、円形部材の周りにマウント爪部１２０ａ、１２０ｂ、１２０ｃを配置し、この円形部材の上に円形導電性部材１１４をネジ１１５で固定している。円形導電性部材１１４には導電性の突起１１６が設けられており、レンズユニット１０１とカメラボディ２０１を装着した際にカメラボディ２０１のマウントバリア２１１と接触し、レンズユニット１０１内からカメラボディ２０１に至るアースラインを形成する。
【００４９】
マウント爪部１２０ａ、１２０ｂ、１２０ｃにはそれぞれ８ピンずつ、合計２４ピンの端子１２１aが配置されている。端子１２１aはマウント爪部１２０ａ、１２０ｂ、１２０ｃの形状に合わせて、円弧上に配置されている。
【００５０】
図６はボディ側マウント部２１０の平面図である。中央にレンズ側マウント部１１０と同形状のマウントバリア２１１を備え、このマウントバリア２１１の形状に沿うようにボディ側マウント爪部２１２ａ、２１２ｂ、２１２ｃ（破線で図示）が備えられている。このボディ側マウント爪部２１２ａ、２１２ｂ、２１２ｃ裏側の隠れた位置に、多数の端子が配置されたマウント爪受け部２２０ａ、２２０ｂ、２２０ｃが備えられている。マウント爪受け部２２０ｂ、２２０ｃそれぞれには端子２２１ａを８ピンずつ等間隔に配置し、マウント爪受け部２２０ａには端子２２１ａを等間隔に７ピンと配列ピッチを変えた端子２２１ｂを１ピン配置している。端子２２１ａ、２２１ｂは相対するマウント爪部１２０ａ、１２０ｂ、１２０ｃの配置された端子１２１ａの配列に合わせて円弧上に配置されている。
【００５１】
なお、上記の説明では端子１２１ａをマウント爪部１２０ａ、１２０ｂ、１２０ｃのカメラボディと対する面に配置し、端子２２１ａおよび２２１ｂをマウント爪受け部２２０ａ、２２０ｂ、２２０ｃに配置すると説明したが、本発明における端子１２１、２２１の配置はこの位置に限られるものではなく、例えば、マウント爪部１２０ａ、１２０ｂ、１２０ｃの光軸方向前面に端子１２１を配置し、ボディ側マウント爪部２１２ａ、２１２ｂ、２１２ｃの光軸方向背面に配置してもよい。
【００５２】
このマウント爪部１２０ａ、１２０ｂ、１２０ｃおよびマウント爪受け部２２０ａ、２２０ｂ、２２０ｃに配置する端子による効果および他の実施形態については、図８〜図１７を参照して後述する。
【００５３】
図７は、本発明の一実施形態であるカメラ１００に共通のブロック図である。
【００５４】
図７に示すように、このカメラ１００は、撮影光学系１１１とＣＣＤ１１２と備えたレンズユニット１０１と、そのレンズユニット１０１が着脱自在に装着される凹形状のボディ側マウント部２１０を備え、ボディ側マウント部２１０に装着されたレンズユニット１０１と通信を行いレンズユニット１０１から画像信号を受け取って信号処理を行うカメラボディ２０１とを有するデジタルカメラである。
【００５５】
レンズユニット１０１には、端子群１２１、カメラ操作者からの操作指示を受けるレンズユニット操作部１３８、自動露出制御／自動焦点制御などを行うＡＥ／ＡＦ制御回路１３５、レンズユニット１０１内の各部の動作を制御するサブＣＰＵ（Ｃｅｎｔｒａｌ  Ｐｒｏｃｅｓｓｉｎｇ  Ｕｎｉｔ）１３６、端子群１２１を介してカメラボディ２０１から受け取ったＤＣ電圧を、レンズユニット１０１内の各部が必要とするＤＣ電圧に変換して供給するＤＣ／ＤＣコンバータ１３７などが備えられている。
【００５６】
撮影光学系１１１で撮影され、ＣＣＤ１１２から出力された画像信号（ＣＣＤ＿ＲＡＷ）はアナログ処理回路１３１でゲイン調整、ノイズ低減などの処理が行われた後、Ａ／Ｄ（Ａｎａｌｏｇ／Ｄｉｇｉｔａｌ）変換器１３２でデジタル信号に変換され、後段のデジタル処理回路１３３でホワイトバランス補正やγ補正を行ってＣＣＤ１１２に依存しない標準ＹＣ信号に変換する。この標準ＹＣ信号は、パラレル／シリアル変換伝送インターフェース１３４によりシリアル信号に変換された後、端子群１２１および端子群２２１を介してカメラボディ２０１に送信される。
【００５７】
カメラボディ２０１は、上述の端子群２２１、ボディ側マウント部２１０、およびマウントバリア２１１のほかに、カメラ操作者からの操作指示を受けるカメラボディ操作部２３７、カメラボディ２０１全体の制御を司るＣＰＵ２３４、レンズユニット１０１から受け取った標準ＹＣ信号を圧縮／伸長する圧縮／伸長ブロック２３２、ＹＣ信号や圧縮後のデータなどを一時保存するメモリバッファ２３８、メモリバッファ２３８を制御するメモリコントローラ２３９、レンズユニット１０１との間の送受信信号のパラレル／シリアル変換処理を行うパラレル／シリアル変換伝送インターフェース２３３、メモリバッファ２３８に保存されたデジタル信号をアナログ信号に変換するＤ／Ａ変換器２３１、Ｄ／Ａ変換器２３１でアナログ信号に変換された画像情報を表示する、例えばＬＣＤ（Ｌｉｑｕｉｄ  Ｃｒｙｓｔａｌ  Ｄｉｓｐｌａｙ ）などからなる表示部２４０、圧縮された画像情報を外部の、例えば、メモリカードなどの記憶媒体２４１に記録するためのメディアインターフェース２４２およびコネクタ２３６、カメラボディ２０１の各部に必要な電源を供給するとともに端子群２２１を介してレンズユニット１０１側に必要な電源を供給する電源部２３５などを備えている。
【００５８】
なお、図７は、本発明の一実施形態を示したものであり、本発明は上記実施形態に限定されない。例えば、デジタルカメラとしても、撮影レンズのバリエーション、ＣＣＤの画素数、動画撮影用／静止画撮影用、手振れ補正などの撮影補助機構の有無、立体映像撮影用の複数のＣＣＤ及びレンズを備えたデジタルカメラなど用途に応じて様々な実施形態のカメラ１００として構成することが出来る。
【００５９】
次に、本発明における第１実施形態の端子構造について説明する。図８は、第１実施形態の端子構造を示し、相対するマウント爪部１２０ａ及びマウント爪受け部２２０ａの端子同士の摺接移動に沿う縦断面概略図である。マウント爪部１２０ａ上に、端子幅ｗ１の端子１２１ａをＬ１の間隔で等間隔に８ピン配置している。この端子１２１ａと対向する形で、マウント爪受け部２２０ａ上に端子２２１ａをＬ１の間隔で等間隔に７ピン配置して、端子２２１ｂを右隣の端子２２１ａから“Ｌ１＋Ｌ２”だけ離した位置に配置している。なお、この第１実施形態においてＬ１、Ｌ２とｗ１の関係は“ｗ１＜Ｌ１”、“Ｌ２＜ｗ１／２”を満足する。ここで、端子幅とは相対する端子同士が接する端子部分における摺接移動方向の幅を指し、端子中心とは前記端子幅の中心を指し、端子同士の間隔とは端子中心間の距離を指す。
【００６０】
なお、図８において、レンズユニット１０１とカメラボディ２０１との装着により、マウント爪部１２０ａとマウント爪受け部２２０ａとを接続する時には、マウント爪部１２０ａは図の左方向に移動し（以降これを接続方向という）、反対にマウント爪部１２０ａとマウント爪受け部２２０ａとの接続を解除する操作の時には、マウント爪部１２０ａは図の右方向に移動する（以降これを解除方向という）。この接続方向と解除方向は以下図１７まで共通である。
【００６１】
図８（ａ）は、マウント爪部１２０ａとマウント爪受け部２２０ａとの接続を行う直前で、摺接移動の初期を表している。
【００６２】
図８（ｂ）は、図８（ａ）からマウント爪部１２０ａを接続方向へ摺接移動させ、端子２２１ａが相対する端子１２１ａと接続している。この時、端子２２１ｂはまだ接続されていない。
【００６３】
図８（ｃ）は、図８（ｂ）から更にマウント爪部１２０ａを接続方向へ摺接移動させ、端子２２１ｂが相対する端子１２１ａと接続している。つまり図８（ｃ）において、全ての端子対は接続している。
【００６４】
従って、この端子２２１ｂの接続を検知できれば、全ての端子対が接続されていると判断することができる。つまり、端子２２１ｂの接続を検知することによって、端子対の接続完了を検出するための機構を別途設ける必要無く、上記のように端子の配置間隔を変えるだけで全端子対の接続完了を判断する判断機能を実現できる。これは部品点数削減、コスト減、装置小型化などの面から非常に有用である。
【００６５】
反対にマウント爪部１２０ａとマウント爪受け部２２０ａとの解除操作を行う際は、図８（ｃ）→図８（ｂ）→図８（ａ）の順でマウント爪受け部２２０ａに対してマウント爪部１２０ａが摺接移動する為、端子２２１ａが接続しているうちに端子２２１ｂの接続が切断される。従って、この端子２２１ｂの接続が切断されたことを検知することで、レンズユニット１０１をカメラボディ２０１から取外す操作が行われていると判断し、これを検知してから他の端子対の接続が切断されるまでの間に他の端子対をハイインピーダンスにしてからレンズユニットの電源を切断させることが可能となる。これにより、端子２２１ａを使用して画像情報等を記録している途中にレンズユニット１０１とカメラボディ２０１との取外し操作を行ったとしても、先に端子２２１ｂの接続が切断されたことを検知できるので、端子２２１ａが端子１２１ａに接続しているうちに、上記の手段で安全に記録を停止させることができる。
【００６６】
次に、図９を用いて第１実施形態の変形例を説明する。この図９では、複数の端子２２１ａの間で、右隣の端子２２１ａから“Ｌ１＋Ｌ２”だけ離した位置に端子２２１ｂを配置している。それ以外、端子幅や端子間隔などの条件は第１実施形態と同様である。
【００６７】
この第１実施形態の変形例についても、マウント爪部１２０ａを接続方向へ摺接移動させていくと、第１実施形態と同様に先に端子２２１ａが接続し、その後端子２２１ｂが接続される。マウント爪部１２０ａとマウント爪受け部２２０ａとの解除操作を行う際も、第１実施形態と同様に端子２２１ａが接続しているうちに端子２２１ｂの接続が切断される。
【００６８】
以上のように、端子２２１ａと端子２２１ｂとの配置順がどうであっても、端子２２１ｂを右隣の端子２２１ａから“Ｌ１＋Ｌ２”だけ離した位置に配置すれば、第１実施形態と同様の効果を得ることができる。
【００６９】
次に、図１０を用いて本発明の第２実施形態を説明する。図１０は、第２実施形態の端子構造を示す図で、相対するマウント爪部１２０ａ及びマウント爪受け部２２０ａの端子同士の摺接移動に沿う縦断面概略図である。マウント爪部１２０ａ上に、端子幅ｗ１の端子１２１ａをＬ１の間隔で等間隔に８ピン配置している。そして、このマウント爪部１２０ａとマウント爪受け部２２０ａとが接続されたときに、端子１２１ａの各端子中心が重なるマウント爪受け部２２０ａ上の位置をｐ１からｐ８として、２２１ａをｐ３からｐ８に配置し、端子２２１ｂをｐ１から接続方向にＬ２だけ離した位置に配置し、端子２２１ｃをｐ２から解除方向にＬ３離した位置に配置している。なお、この第２実施形態においてＬ１、Ｌ２、Ｌ３とｗ１の関係は“ｗ１＜Ｌ１”、“Ｌ２＜ｗ１／２”、“Ｌ３＜ｗ１／２”を満足する。
【００７０】
図１０（ａ）は、マウント爪部１２０ａとマウント爪受け部２２０ａとの接続を行う直前で、摺接移動の初期を表している。
【００７１】
図１０（ｂ）は、図１０（ａ）からマウント爪部１２０ａを接続方向へ摺接移動させ、端子２２１ｃが相対する端子１２１ａと接続している。この時、端子２２１ａ、端子２２１ｂはまだ接続されていない。
【００７２】
図１０（ｃ）は、図１０（ｂ）から更にマウント爪部１２０ａを接続方向へ摺接移動させ、端子２２１ａが相対する端子１２１ａと接続している。この時、端子２２１ｂはまだ接続されていない。
【００７３】
図１０（ｄ）は、図１０（ｃ）から更にマウント爪部１２０ａを接続方向へ摺接移動させ、端子２２１ｂが相対する端子１２１ａと接続している。つまり図１０（ｄ）において、全ての端子は接続している。
【００７４】
反対にマウント爪部１２０ａとマウント爪受け部２２０ａとの解除操作を行う際は、図１０（ｄ）→図１０（ｃ）→図１０（ｂ）→図１０（ａ）の順でマウント爪受け部２２０ａに対してマウント爪部１２０ａが摺接移動し、端子２２１ｂ、端子２２１ａ、端子２２１ｃの順で接続が切断される。
【００７５】
これにより、第１実施形態と同様の効果に加え、端子２２１ｃにより端子の接続と解除のタイミングを３段階に異ならせることができるので、以下のような効果がある。
【００７６】
例えば端子２２１ｃを電源供給用端子とすれば、レンズユニット１０１とカメラボディ２０１との取外し操作を行う時には、全ての端子の接続が切断されてから最後に電源供給用端子の接続が切断されるので電気的接続が安定する。
【００７７】
また、端子２２１ｃをグランド用端子（以下、ＧＮＤ用端子とする）とすれば、レンズユニット１０１とカメラボディ２０１との装着操作を行う時には、最先にＧＮＤ用端子が接続されるので静電気による故障を防止する事ができる。
【００７８】
なお、第１実施形態の変形例と同様に、この第２実施形態においても、端子２２１ａ、２２１ｂ、２２１ｃそれぞれの相対的配置関係は図１０に限定されず、他の端子が配置されていないｐ１からｐ８の何れかの位置から、端子２２１ｂは接続方向にＬ２離した位置に配置し、端子２２１ｃは解除方向にＬ３離した位置に配置すれば、第２実施形態と同様の効果を得ることができる。
【００７９】
次に、図１１を用いて本発明の第３実施形態を説明する。図１１は、第３実施形態の端子構造を示す図で、相対するマウント爪部１２０ａ及びマウント爪受け部２２０ａの端子同士の摺接移動に沿う縦断面概略図である。この第３実施形態は、第２実施形態においてマウント爪受け部２２０ａ上の位置ｐ３に配置していた端子２２１ａの代わりに、端子２２１ｄをｐ３から解除方向にＬ４（Ｌ４＜Ｌ３）離した位置に配置している。それ以外、端子幅や端子間隔などの条件は第２実施形態と同様である。なお、この第３実施形態においてＬ３、Ｌ４とｗ１の関係は“Ｌ４＜Ｌ３＜ｗ１／２”を満足する。
【００８０】
その為、マウント爪部１２０ａとマウント爪受け部２２０ａとの接続操作を行う際は端子２２１ｃ→２２１ｄ→２２１ａ→２２１ｂの順に接続され、マウント爪部１２０ａとマウント爪受け部２２０ａとの解除操作を行う際は端子２２１ｂ→２２１ａ→２２１ｄ→２２１ｃの順に接続が切断される。
【００８１】
これにより、第２実施形態と同様の効果に加え、端子２２１ｄにより端子の接続と解除のタイミングを４段階に異ならせることができるので、以下のような効果がある。
【００８２】
例えば端子２２１ｃをＧＮＤ用端子とし、端子２２１ｄを電源供給用端子とすれば、レンズユニット１０１とカメラボディ２０１との装着操作を行う時には、最先にＧＮＤ用端子が接続されるので静電気による故障を防止する事ができると共に、レンズユニット１０１とカメラボディ２０１との取外し操作を行う時には、ＧＮＤ端子と電源供給用端子を除く全ての端子の接続が切断されてから電源供給用端子の接続が切断されるので電気的接続が安定する。
【００８３】
なお、第２実施形態と同様に、この第３実施形態においても、端子２２１ａ、２２１ｂ、２２１ｃ、２２１ｄそれぞれの相対的配置関係は図１１に限定されない。
【００８４】
以上、図８から図１１を用いて、端子の間隔を変えて接続／解除のタイミングを２段階、３段階、４段階にする方法について説明してきたが、既に説明した通り、本発明は上記実施形態に限定されない。本発明のポイントを換言すれば、マウント爪部１２０ａ上に、端子幅ｗ１の端子１２１ａを複数配置し、このマウント爪部１２０ａとマウント爪受け部２２０ａとが接続されたときに、端子１２１ａの各端子中心が重なるマウント爪受け部２２０ａ上の位置の何れかから、接続／解除タイミングをずらしたい端子を接続方向または解除方向にどれだけ離した位置に配置するかということになる。つまり、レンズユニット１０１とカメラボディ２０１との装着操作時においては、接続方向に離す距離が大きいほど早く接続し、解除方向に離す距離が大きいほど遅く接続する。反対に解除操作時においては、接続方向に離す距離が大きいほど遅く接続が切断され、解除方向に離す距離が大きいほど早く接続が切断される。なお、当然のことであるが、仮定した位置から離す距離と、端子の端子幅には取り得る有限の範囲が存在する。
【００８５】
次に、本発明における第４実施形態の端子構造について説明する。図１２は、第４の実施形態の端子構造を示す図で、相対するマウント爪部１２０ａ及びマウント爪受け部２２０ａの端子同士の摺接移動に沿う縦断面概略図である。
【００８６】
マウント爪部１２０ａ上に、端子幅ｗ１の端子１２１ａを７ピンと、端子幅ｗ２（ｗ２＜ｗ１）の端子１２１ｂとをＬ１の間隔で等間隔に配置している。この端子１２１ａ、１２１ｂと対向する形で、マウント爪受け部２２０ａ上に端子２２１ａをＬ１の間隔で等間隔に配置している。なお、この第４実施形態においてＬ１とｗ１、ｗ２との関係は“ｗ２＜ｗ１＜Ｌ１”を満足する。
【００８７】
図１２（ａ）は、マウント爪部１２０ａとマウント爪受け部２２０ａとの接続を行う直前で、摺接移動の初期を表している。
【００８８】
図１２（ｂ）は、図１２（ａ）からマウント爪部１２０ａを接続方向へ摺接移動させ、端子１２１ａが相対する端子２２１ａと接続している。この時、端子１２１ｂはまだ接続されていない。
【００８９】
図１２（ｃ）は、図１２（ｂ）から更にマウント爪部１２０ａを接続方向へ摺接移動させ、端子１２１ｂが相対する端子２２１ａと接続している。つまり図１２（ｃ）において、全ての端子は接続している。
【００９０】
反対にマウント爪部１２０ａとマウント爪受け部２２０ａとの解除操作を行う際は、図１２（ｃ）→図１２（ｂ）→図１２（ａ）の順でマウント爪受け部２２０ａに対してマウント爪部１２０ａが摺接移動する為、端子１２１ａが接続しているうちに端子１２１ｂの接続が切断される。
【００９１】
以上のように、端子幅を異ならせる事によっても第１実施形態と同様に以下の効果を得ることができる。
【００９２】
つまり、この端子１２１ｂの接続を検知したときは、全ての端子が接続されていると判断できる。これにより、端子の接続完了を検出するための機構を別途設ける必要無く、上記のように端子の配置間隔を変えるだけで全端子の接続完了を判断する判断機能を実現できる。これは部品点数削減、コスト減、装置小型化などの面から非常に有用である。
【００９３】
反対に、端子１２１ｂの接続が切断されたことを検知することで、レンズユニット１０１をカメラボディ２０１から取外す操作が行われていると判断し、これを検知してから他の端子の接続が切断されるまでの間に他の端子をハイインピーダンスにしてレンズユニットの電源を切断させることが可能となる。これにより、端子１２１ａを使用して画像情報等を記録している途中にレンズユニット１０１とカメラボディ２０１との取外し操作を行ったとしても、先に端子１２１ｂの接続が切断されたことを検知できるので、端子１２１ａが端子２２１に接続しているうちに、上記の手段で安全に記録を停止させることができる。
【００９４】
次に、図１３を用いて第４実施形態の変形例を説明する。この図１３では、複数の端子１２１ａの間に端子２２１ｂを配置している。それ以外、端子幅や端子間隔などの条件は第４実施形態と同様である。
【００９５】
この第４実施形態の変形例についても、マウント爪部１２０ａを接続方向へ摺接移動させていくと、第４実施形態と同様に先に端子１２１ａが接続し、その後端子１２１ｂが接続される。マウント爪部１２０ａとマウント爪受け部２２０ａとの解除操作を行う際も、第４実施形態と同様に端子１２１ａが接続しているうちに端子１２１ｂの接続が切断される。
【００９６】
以上のように、端子１２１ａと端子１２１ｂとの配置順がどうであっても、端子１２１ｂの端子幅をｗ２（ｗ２＜ｗ１）とすれば、第４実施形態と同様の効果を得ることができる。
【００９７】
次に、図１４を用いて本発明の第５実施形態を説明する。図１４は、第２実施形態の端子構造を示す図で、相対するマウント爪部１２０ａ及びマウント爪受け部２２０ａの端子同士の摺接移動に沿う縦断面概略図である。
【００９８】
マウント爪部１２０ａ上に、端子幅ｗ１の端子１２１ａを６ピンと、端子幅ｗ２（ｗ２＜ｗ１）の端子１２１ｂと、端子幅ｗ３（ｗ３＞ｗ１）の端子１２１ｃとをＬ１の間隔で等間隔に配置している。この端子１２１ａから１２１ｃと対向する形で、マウント爪受け部２２０ａ上に端子２２１ａをＬ１の間隔で等間隔に配置している。
【００９９】
図１４（ａ）は、マウント爪部１２０ａとマウント爪受け部２２０ａとの接続を行う直前で、摺接移動の初期を表している。
【０１００】
図１４（ｂ）は、図１４（ａ）からマウント爪部１２０ａを接続方向へ摺接移動させ、端子１２１ｃが相対する端子２２１ａと接続している。この時、端子１２１ａ、端子１２１ｂはまだ接続されていない。
【０１０１】
図１４（ｃ）は、図１４（ｂ）から更にマウント爪部１２０ａを接続方向へ摺接移動させ、端子１２１ａが相対する端子２２１ａと接続している。この時、端子１２１ｂはまだ接続されていない。
【０１０２】
図１４（ｄ）は、図１４（ｃ）から更にマウント爪部１２０ａを接続方向へ摺接移動させ、端子１２１ｂが相対する端子２２１ａと接続している。つまり図１４（ｄ）において、全ての端子は接続している。
【０１０３】
反対にマウント爪部１２０ａとマウント爪受け部２２０ａとの解除操作を行う際は、図１４（ｄ）→図１４（ｃ）→図１４（ｂ）→図１４（ａ）の順でマウント爪受け部２２０ａに対してマウント爪部１２０ａが摺接移動し、端子１２１ｂ、端子１２１ａ、端子１２１ｃの順で接続が切断される。
【０１０４】
つまり、これにより接続／解除のタイミングを３段階にずらすことができるので、第２実施形態と同様の効果がある。
【０１０５】
なお、第４実施形態の変形例と同様に、この第５実施形態においても、端子１２１ａ、１２１ｂ、１２１ｃそれぞれの相対的配置関係は図１４に限定されず、端子１２１ｂの端子幅をｗ２（ｗ２＜ｗ１）とし、端子１２１ｃの端子幅をｗ３（ｗ３＞ｗ１）とすれば、第５実施形態と同様の効果を得ることができる。
【０１０６】
次に、図１５を用いて本発明の第６実施形態を説明する。図１５は、第６実施形態の端子構造を示す図で、相対するマウント爪部１２０ａ及びマウント爪受け部２２０ａの端子同士の摺接移動に沿う縦断面概略図である。マウント爪部１２０ａ上に、端子幅ｗ１の端子１２１ａを５ピンと、端子幅ｗ２（ｗ２＜ｗ１）の端子１２１ｂと、端子幅ｗ３（ｗ３＞ｗ１）の端子１２１ｃと、端子幅ｗ４（ｗ１＜ｗ４＜ｗ３）の端子１２１ｄとをＬ１の間隔で等間隔に配置している。それ以外の条件は第５実施形態と同様である。
【０１０７】
その為、マウント爪部１２０ａとマウント爪受け部２２０ａとの接続操作を行う際は端子１２１ｃ→１２１ｄ→１２１ａ→１２１ｂの順に接続され、マウント爪部１２０ａとマウント爪受け部２２０ａとの解除操作を行う際は端子１２１ｂ→１２１ａ→１２１ｄ→１２１ｃの順に接続が切断される。
【０１０８】
つまり、これにより接続／解除のタイミングを４段階にずらすことができるので、第６実施形態と同様の効果を得ることができる。
【０１０９】
以上、図１２から図１５を用いて、端子の端子幅を変えて接続タイミングを２段階、３段階、４段階にする方法について説明したが、既に説明した通り、本発明は以上の実施形態に限定されない。本発明のポイントは、マウント爪部１２０ａに等間隔に端子を配置すると共に、接続のタイミングを変えたい端子の端子幅を異ならせて配置するということである。つまり、相対するマウント爪部１２０ａとマウント爪受け部２２０ａにおいて、マウント爪受け部２２０ａの端子を同じ端子幅で配置した場合、つまり、レンズユニット１０１とカメラボディ２０１との装着操作時においては、端子の端子幅が大きいほど早く接続し、小さいほど遅く接続する。反対に解除操作時においては、端子の端子幅が大きいほど遅く接続が切断され、小さいほど早く接続が切断される。なお、当然のことであるが、端子の端子幅と、端子中心間距離には取り得る有限の範囲が存在する。
【０１１０】
次に、図１６を用いて本発明の第７実施形態を説明する。図１６は、３つのマウント爪部１２０ａ、１２０ｂ、１２０ｃと、各マウント爪部とそれぞれ相対するマウント爪受け部２２０ａ、２２０ｂ、２２０ｃとで端子同士の摺接移動に沿う縦断面概略図を便宜上同一の平面に示した図である。既に説明した通り、マウント爪部１２０ａ、１２０ｂ、１２０ｃ、及びこれらに相対するマウント爪受け部２２０ａ、２２０ｂ、２２０ｃは、それぞれ同一円周上に配置されているので、レンズユニット１０１とカメラボディ２０１との装着／取外し操作時における移動量は全て同一であり、全て同時に装着／取外しされる。
【０１１１】
この図１６は、第３実施形態において説明した端子２２１ｂ、２２１ｃ、２２１ｄを、それぞれ異なるマウント爪受け部２２０ｂ、２２０ａ、２２０ｃの左端に配置している。つまり、マウント爪部１２０ａ、１２０ｂ、１２０ｃそれぞれに端子幅ｗ１の端子１２１ａをＬ１の間隔で等間隔に８ピン配置し、そして、このマウント爪部１２０ａ、１２０ｂ、１２０ｃとマウント爪受け部２２０ａ、２２０ｂ、２２０ｃとがそれぞれ接続されたときに、端子１２１ａの各端子中心が重なるマウント爪受け部２２０ａ、２２０ｂ、２２０ｃ上の位置をｐ１からｐ８として、端子２２１ｂをマウント爪受け部２２０ｂのｐ１から接続方向にＬ２だけ離した位置に配置し、端子２２１ｃをマウント爪受け部２２０ａのｐ１から解除方向にＬ３離した位置に配置し、端子２２１ｄをマウント爪受け部２２０ｃのｐ１から解除方向にＬ４（Ｌ４＜Ｌ３）離した位置に配置し、残りの位置に２２１ａを配置している。
【０１１２】
ここで、レンズユニット１０１とカメラボディ２０１との装着／取外し操作時におけるマウント爪部１２０ａ、１２０ｂ、１２０ｃの移動量は全て同一なので、以上のように端子２２１ｂ、２２１ｃ、２２１ｄを異なるマウント爪受け部２２０ｂ、２２０ａ、２２０ｃに配置したとしても、第３実施形態と同様の効果を得ることができる。
【０１１３】
また、このように他の端子と端子間隔を変えたい端子２２１ｂ、２２１ｃ、２２１ｄをマウント爪受け部２２０ｂ、２２０ａ、２２０ｃの最端位置に設けることにより、その他の等間隔な端子２２１ａをモジュール化して作ることができるようになるので、作業工程削減などの面から非常に有用である。
【０１１４】
さらに、第３実施形態と同様に端子２２１ｄを電源供給用端子とすると、この電源供給用端子をマウント爪受け部２２０ａの最左端に設けることにより、マウント爪部１２０ａとマウント爪受け部２２０ａとの接続／解除時において電源供給用端子が他の端子と接触せずにすむ。これは、本発明の一実施形態であるカメラ１００において、電源はカメラボディ２０１へ搭載したバッテリからレンズユニット１０１側へ供給される、つまりマウント爪受け部２２０ａ側の電源供給用端子からマウント爪部１２０ａ側へ供給される為、もし供給側の電源供給用端子が他の端子に接触してしまうと、その接触した端子へ少なからず電流を流してしまい機器の故障に繋がる恐れがあるので、別途防止策を講じる必要性が出てきてしまう。従って、電源供給用端子をマウント爪受け部２２０ａの最左端に設けることで上記問題点を回避することができる。
【０１１５】
次に、図１７を用いて本発明の第８実施形態を説明する。図１７は、第７実施形態の端子２２１ｂ、２２１ｃ、２２１ｄの代わりに、端子幅を変えた端子１２１ｂ、１２１ｃ、１２１ｄを用いて表現した図である。つまり、第６実施形態において説明した端子１２１ｂ、１２１ｃ、１２１ｄを、それぞれ異なるマウント爪受け部１２０ａ、１２０ｂ、１２０ｃの左端に配置している。これにより、第７実施形態と同様の効果を得ることができる。
【０１１６】
なお、第７及び第８実施形態では、それぞれ端子間隔を変えた場合と、端子幅を変えた場合とで区別した実施形態を説明したが、この発明のポイントは端子間隔や端子幅の異なる端子を最端位置に設けることで、他の等間隔で幅の等しい端子をモジュール化して作成を簡単にすることができるということと、供給側の電源供給用端子を着脱操作において他の端子と接触しないように供給側の装着方向最後端に設けるということなので、端子間隔を変えた端子と端子幅を変えた端子とが混在していても当然ながら同様の効果を得られる。
【０１１７】
ここまで、第１から第８実施形態について、図８から図１７を使って説明するにあたり、マウント爪部１２０ａ、１２０ｂ、１２０ｃとマウント爪受け部２２０ａ、２２０ｂ、２２０ｃとを区別して説明してきたが、これは便宜上区別していただけであり、マウント爪部１２０ａ、１２０ｂ、１２０ｃとマウント爪受け部２２０ａ、２２０ｂ、２２０ｃとが逆であったとしても本発明は実施可能である。
【０１１８】
また、各端子は接続／解除のタイミングを変えない端子同士は等間隔に配置すると説明してきたが、これは便宜上等間隔に配置すると説明していただけであり、マウント爪部１２０ａ、１２０ｂ、１２０ｃとマウント爪受け部２２０ａ、２２０ｂ、２２０ｃとで相対する各端子の相対位置関係に変更が無ければ、不等間隔でもこれまでの実施形態と同様の効果を得ることができる。これは、第７、第８実施形態において、異なる端子群に分けても同様の効果が得られたことからも明らかである。
【０１１９】
さらに、レンズユニット１０１の端子群１２１とカメラボディ２０１の端子群２２１とは、互いに同数でなくても良い。例えば、端子群２２１が２４ピンなのに対し、端子群１２１が１０ピンであったとしても、互いに接続されるピン同士に対して本発明を実施することができる。
【０１２０】
なお、本発明の端子構造は必ずしもデジタルカメラに限ったことではなく、挿入後に回動して装着する方式であれば如何なる電子機器にも利用可能である。例えば、表示機能を有する電子機器と記録媒体との組み合わせや、記録機能を有する電子機器と無線送受信端末との組み合わせや、自動車と撮像素子を備えたレンズユニットとの組み合わせなど、あらゆる電気的接続を行う端子部分に利用可能である。
【図面の簡単な説明】
【０１２１】
【図１】本発明の一実施形態であるカメラの斜視図である。
【図２】図１に示すカメラの、レンズユニット装着前の斜視図である。
【図３】図２に示すカメラの、マウントバリアをカメラボディ内部へ押し込んだ状態のボディ側マウント部の周辺斜視図である。
【図４】図１に示すカメラの背面図である。
【図５】レンズ側マウント部の平面図である。
【図６】ボディ側マウント部の平面図である。
【図７】本発明の一実施形態であるカメラのブロック図である。
【図８】第１実施形態の端子配列の概略断面図である。
【図９】第１実施形態の変形例の端子配列の概略断面図である。
【図１０】第２実施形態の端子配列の概略断面図である。
【図１１】第３実施形態の端子配列の概略断面図である。
【図１２】第４実施形態の端子配列の概略断面図である。
【図１３】第４実施形態の変形例の端子配列の概略断面図である。
【図１４】第５実施形態の端子配列の概略断面図である。
【図１５】第６実施形態の端子配列の概略断面図である。
【図１６】第７実施形態の端子配列の概略断面図である。
【図１７】第８実施形態の端子配列の概略断面図である。
【符号の説明】
【０１２２】
１００  カメラ
１０１  レンズユニット
１１０  レンズ側マウント部
１１１  撮影光学系
１１２  ＣＣＤ
１１３  回転規制部
１２０ａ、１２０ｂ、１２０ｃ  マウント爪部
１２１  端子群
１２１ａ、１２１ｂ、１２１ｃ、１２１ｄ  端子
１３１  アナログ処理回路
１３２  Ａ／Ｄ変換器
１３３  デジタル処理回路
１３４  パラレル／シリアル変換伝送インターフェース
１３５  ＡＥ／ＡＦ制御回路
１３６  サブＣＰＵ
１３７  ＤＣ／ＤＣコンバータ
１３８  レンズユニット操作部
２０１  カメラボディ
２１０  ボディ側マウント部
２１１  マウントバリア
２１２ａ、２１２ｂ、２１２ｃ  ボディ側マウント爪部
２２０ａ、２２０ｂ、２２０ｃ  マウント爪受け部
２２１  端子群
２２１ａ、２２１ｂ、２２１ｃ、２２１ｄ  端子
２３１  Ｄ／Ａ変換器
２３２  圧縮／伸長ブロック
２３３  パラレル／シリアル変換伝送インターフェース
２３４  ＣＰＵ
２３５  電源部
２３６  コネクタ
２３７  カメラボディ操作部
２３８  メモリバッファ
２３９  メモリコントローラ
２４０  表示部
２４１  記憶媒体
２４２  メディアインターフェース
【図１】
2007101656.tif 000003
【図２】
2007101656.tif 000004
【図３】
2007101656.tif 000005
【図４】
2007101656.tif 000006
【図５】
2007101656.tif 000007
【図６】
2007101656.tif 000008
【図７】
2007101656.tif 000009
【図８】
2007101656.tif 000010
【図９】
2007101656.tif 000011
【図１０】
2007101656.tif 000012
【図１１】
2007101656.tif 000013
【図１２】
2007101656.tif 000014
【図１３】
2007101656.tif 000015
【図１４】
2007101656.tif 000016
【図１５】
2007101656.tif 000017
【図１６】
2007101656.tif 000018
【図１７】
2007101656.tif 000019